(57)【特許請求の範囲】
【請求項１】
ハウジング内に組み込まれたヒートローラとプレスローラとにより、記録媒体をニップ搬送し、該記録媒体に転写されたトナー画像を定着させる定着器を備え、上記ヒートローラの表面温度を検知し、該表面温度が所定の設定定着温度に維持されるよう制御する画像形成装置であって、
上記ハウジングには、上記ヒートローラの表面温度を検出する温度センサが組付けられており、該温度センサの組付け状態が上記ハウジング外から視認できるように、上記ハウジングの一部が透明部材で構成されていることを特徴とする画像形成装置。
【請求項２】
請求項１に記載の画像形成装置において、
上記温度センサは、ヒートローラの外表面上に接触して設けられることを特徴とする画像形成装置。
【請求項３】
請求項１又は請求項２に記載の画像形成装置において、
上記透明部材は、上記ハウジングに形成された窓部に装着されることを特徴とする画像形成装置。
【発明の詳細な説明】
【技術分野】
【０００１】
本発明は、複写機、プリンタ、或いはこれらにファクシミリ機能を備えた複合機などに採用される画像形成装置に関し、更に詳しくは、サーミスタなど温度センサが組付けられている定着器を備えた画像形成装置に関する。
【背景技術】
【０００２】
上記のような画像形成装置としては、記録紙カセット等を備えた記録紙の供給部から、１枚ずつ記録紙を繰出し、記録紙搬送路の途中に設置された搬送ローラ対（レジストローラ対）を経て、電子写真方式の画像記録部で画像記録を行うものが挙げられる。
上記画像記録部を構成する感光体ドラムと転写ローラとのニップ部に搬送及び供給された記録紙には、感光体ドラムの表面に形成されたトナー画像が転写される。該記録紙に転写されたトナー画像は、記録紙搬送路の途中に設置された定着器で永久画像として定着され、その後、排出トレイに排出される。
上記定着器としては、互いに押し当てられた状態で回転するヒートローラとプレスローラとを備えたものが挙げられる。該ヒートローラには加熱ヒータが内蔵されており、プレスローラとのニップ部において、記録紙に転写されたトナー画像を加熱及び加圧することにより永久画像として定着させている。
【０００３】
定着器によって良好な上記定着を行うためには、適正な定着温度で記録紙に対してトナー画像の定着を行うことが重要である。よって、定着器は画像形成装置の特性などに応じて好適とされる設定定着温度が予め設定されており、この設定定着温度にヒートローラの表面温度を維持するため、ヒートローラの近傍には、該ヒートローラの表面温度を検知する温度センサが設けられている。温度センサとしては、冷熱が繰り返され、機械的な摩耗或いは振動のある環境下にあっても高速応答性に優れたものとして、接触式のサーミスタが多用されている。しかしながら、サーミスタはヒートローラ及びプレスローラとともに筺体のハウジング内に組み込まれているため、一度組み込まれるとハウジング外からはサーミスタの組付け状態がわからない点が問題となっていた。
【０００４】
図６、図７は従来の定着器の上述の問題点を模式的に示した断面図であり、図６はサーミスタが正規に組付けられた図、図７はサーミスタが非正規に組付けられた図を示している。
図中、６０００は定着器、６００はハロゲンランプ、６１０はヒートローラ、６２０はプレスローラ、６３０はサーミスタ、６３００は感熱部、６３１０はサーミスタ６３０を固定するブラケット、６３２０はサーミスタ６３０をブラケット６３１０に固定するビス、６４００はヒートローラ６１０及びプレスローラ６２０を収容するハウジングの一部である。
サーミスタ６３０の感熱部６３００の集熱板にはサーミスタ素子（不図示）貼り付けられており、サーミスタ６３０はサーミスタ素子が貼り付けられた検知面６３０１が、ヒートローラ６１０の外表面６１１に接触するようハウジング６４００の内壁に組付けられる。
【０００５】
図６に示すようにサーミスタ６３０の検知面６３０１がヒートローラ６１０の外表面６１１に接触するよう正規に組付けられれば、ヒートローラ６１０の表面温度を適正に検知することができる。一方、図７に示すように感熱部６３００の非検知面（裏面側）が、ヒートローラ６１０の外表面６１１に接触するように組付けられてしまうと、ヒートローラ６１０の表面温度を正確に検知できず、検知エラーの原因となる。またヒートローラ６１０の表面温度が正確に検知できないので、ハロゲンランプ６００の通電のオンオフが適切になされず、ヒートローラ６１０が熱くなりすぎて制御不能になってしまう。それにもかかわらず、サーミスタ６３０の感熱部６３００は、非検知面側がヒートローラ６１０の表面に接触した状態であっても、サーミスタ素子がある程度は反応するため、製造時の温度検知検査をクリアしてしまう場合がある。
【０００６】
【特許文献１】特開２００１−１３３９１０号公報
【特許文献２】特開２００５−６２６９０号公報
【特許文献３】特開２００７−１６８１３２号公報
【発明の開示】
【発明が解決しようとする課題】
【０００７】
そこで、ハウジング６４００にサーミスタ６３０を組付けた後でも、サーミスタ６３０の組付け状態が視認できるものが望まれる。
上記特許文献１には、画像形成装置の走査装置の移動状態を外部から確認できるものが開示されている。
上記特許文献２には、画像形成装置の画像記録部において、現像ローラと供給ローラとの接触状態を確認するための透光窓が形成されているものが開示されている。
上記特許文献３には、画像形成装置のインク或いはトナーを収納したカートリッジを装着する部分に開閉可能なカバーを設け、該カバーを透明として内部を視認可能としたものが開示されている。
【０００８】
このように、画像形成装置の所定部位を透明な部材で構成することにより内部の状況を視認可能としたものはみられるが、定着器のハウジング外からサーミスタの組付け状態を視認できるものは見当たらなかった。
【０００９】
本発明は、上記実情に鑑みなされたものであり、ハウジング内に組付けられる温度センサの組付けミスを防止することにより、信頼性の高い画像形成装置を提供することを目的としている。
【課題を解決するための手段】
【００１０】
本発明に係る画像形成装置は、ハウジング内に組み込まれたヒートローラとプレスローラとにより、記録媒体をニップ搬送し、該記録媒体に転写されたトナー画像を定着させる定着器を備え、上記ヒートローラの表面温度を検知し、該表面温度が所定の設定定着温度に維持されるよう制御する画像形成装置であって、上記ハウジングには、上記ヒートローラの表面温度を検出する温度センサが組付けられており、該温度センサの組付け状態が上記ハウジング外から視認できるように、上記ハウジングの一部が透明部材で構成されていることを特徴とする。
【００１１】
本発明において、温度センサは、ヒートローラの外表面上に接触して設けられるものとすることができる。また上記透明部材は、ハウジングに形成された窓部に装着されるものとしてもよい。
【発明の効果】
【００１２】
本発明における画像形成装置によれば、温度センサの組付け状態がハウジング外から視認できるように、ハウジングの一部が透明部材で構成されているので、ハウジングに温度センサを組付けた後に温度センサの組付け状態を容易に確認することができる。
よって、製造時の温度検知検査で組付けミスが明らかにならないような場合でも、透明部材を通して視認するだけで、組付けミスを判別できる。
このように温度センサの組付けミスが画像形成装置に定着器を取付ける前にわかるので、温度センサの組付けミスに起因するエラー或いはヒートローラの温度制御が不能になるといったことがなく、信頼性の高い画像形成装置を構成することができる。
特に温度センサが、ヒートローラの外表面上に接触して設けられるものの場合、温度センサの裏面側を接触させるなど、組付けミスを起こしやすいが、温度センサの組付け状態を容易に確認することができるので組付けミスを防ぐことができる。
透明部材は、ハウジングに形成された窓部に装着されるものとすれば、簡易な構造でありながら透明部材を備えたハウジングとすることができる。
【発明を実施するための最良の形態】
【００１３】
以下に本発明の最良の実施の形態について、図面に基づいて説明する。図１は本発明の画像形成装置が採用された複合機の一例を示す概略的縦断面図、図２は同画像形成装置に備えた定着器ユニットの概略的斜視図、図３は図２におけるＸ−Ｘ線矢視断面図、図４は同定着器ユニットに組付けられた温度センサの模式的平面図、図５は同定着器ユニットの変形例を示した図であり、図２と同様図である。
【００１４】
図１は、ファクシミリ機能、複写機能及びプリンタ機能を備えた所謂複合機であるが、本発明の画像形成装置１は、記録部を備えたファクシミリ装置、複写機、プリンタ及びこれらが組合わさった装置にも適用されるものである。図例の画像形成装置１は、上部より自動原稿送り装置（ＡＤＦ）２、画像読取部３、画像記録部４及び記録紙の供給部５が積層状態で構成されている。ＡＤＦ２は、原稿トレイ２１上に堆積された原稿を、ピックアップローラ２２及び分離手段（分離ローラとリタードローラの対）２３により１枚ずつ繰出し分離する。各搬送ローラ対２４、２５、２６により湾曲搬送路２７を搬送させながら、途中ＡＤＦ原稿の読取ポイント１００において、静止した読取走査装置（後記する）３１によってその画像を読取る。そして、排出ローラ対２８によって原稿排出トレイ２９上に順次排出させる。尚、分離手段２３としては、分離ローラと分離パッドからなるものも多く採用されている。
【００１５】
画像読取部３は、ＡＤＦ読取部３２と平板式読取走査部（ＦＢＳ）３３とにより構成される。図１は、上記読取走査装置３１がＡＤＦ読取ポイント１００の直下のＡＤＦ読取部３２に静止し、ＡＤＦ２によって順次自動的に搬送される原稿の画像を読取る状態を示している。ＦＢＳ３３において画像読取を行う場合は、読取走査装置３１がＦＢＳ３３に移動し、プラテンガラス３４の下を左右に往復移動しながら、プラテンガラス３４の上に下向きに置かれた原稿の画像を読取る。上記ＡＤＦ２を構成する一連の機構は、プラテンカバー（原稿押圧板）も兼ね、紙面奥側をヒンジ部として上下に開閉可能とされている。
【００１６】
図に示す画像記録部４は、クリーナレスシステムが採用された電子写真方式の画像記録部であり、感光体ドラム４１、帯電器４２、露光器４３、現像器４４、転写器４６及びメモリ除去ブラシ４５により構成される。
感光体ドラム４１、帯電器４２及びメモリ除去ブラシ４５は、樹脂製のドラムユニット筐体に組込まれ、ドラムユニット４１０として構成される。このドラムユニット４１０は、上記画像形成装置１の装置本体１１内の所定部位に自在に着脱できるよう構成されている。
帯電器４２は、図例ではブラシ帯電器であることを示しているが、ローラ帯電器、スコロトロン型帯電器であっても良い。ドラムユニット４１０が、装置本体１１内に装着された時には、感光体ドラム４１を矢印方向に回転させる為の不図示の駆動伝達系に連結される。帯電器４２は、感光体ドラム４１の表面を一様に帯電し、所定のバイアス電位に印加させる為に高圧電源に連結されている。そしてこの帯電器４２によって感光体ドラム４１の表面には所定の感光体電位が付与される。
露光器４３は、多数のＬＥＤを走査方向（感光体ドラム４１の軸方向）に沿って配列されたＬＥＤヘッドアレイからなり、前記装置本体１１内に設置されている。転写器（転写ローラ）４６は、装置本体１１内のレジストローラ対１２と定着器ユニット６との間の記録紙搬送路の途中に回転可能に設けられ、ドラムユニット４１０が装置本体１１内の所定部位に装着された時には、感光体ドラム４１と接して、所定のバイアス電位が印加され且つ感光体ドラム４１と協働して回転するよう構成される。ここで露光器４３の照射体はＬＥＤに限定されず、レーザー等であってもよい。
メモリ除去ブラシ４５は、感光体ドラム４１の表面に接するように設けられ、転写後の残留トナーは、該メモリ除去ブラシ４５によって掻き乱され分散されて、残像が消され、静電潜像への影響が回避された状態で現像器４４に回収される。
【００１７】
定着器ユニット６は感光体ドラム４１と転写器４６の下流側に設けられ、加熱源となるハロゲンランプ６０が内蔵されたヒートローラ６１と、プレスローラ６２とが組み込まれている。また定着器ユニット６には、排出トレイ８に記録紙９を排出させる排出ローラ対７も組み込まれている。
【００１８】
現像器４４は、攪拌器４４２、供給ローラ４４３、現像ローラ４４４を備え、現像器ユニット４４０として構成される。
上記ドラムユニット４１０、現像器ユニット４４０の結合状態では、感光体ドラム４１と現像ローラ４４４とが互いに接した状態で構成される。現像器ユニット４４０が、装置本体１１内に装着された時には、攪拌器４４２を回転させる為の不図示の回転伝達系が連結される。また、供給ローラ４４３及び現像ローラ４４４は図１の矢印方向に回転させる為の不図示の回転伝達系に連結され、供給ローラ及び現像ローラ４４４は、所定の現像バイアス電位に印加する為の不図示の電源コネクタ或いは高圧電源に連結される。
【００１９】
記録紙９の供給部５は、紙面垂直方向に出し入れ可能な記録紙カセット（用紙載置部）５１を備え、記録紙カセット５１の前端部上には供給ローラ１６が設けられている。この供給ローラ１６には分離パッド１７が接するように設けられ、供給ローラ１６の支軸周りの回転に伴い、記録紙カセット５１に収容された記録紙９が、最上層部より繰出され、分離パッド１７の作用を受けて１枚ずつ分離され搬送されて行く。記録紙カセット５１内には、ヒンジピン５３を支点として上下に揺動することができるように構成された押上板５４及び記録紙９の後端を規制する位置調整可能な規制板５２が設けられている。押上板５４は圧縮ばね５５により上向きに弾力が付与された状態で設けられている。その他、図示及び説明を割愛するが、記録紙カセット５１として必要な付帯部材も装備されるものであることは言うまでもない。尚、記録紙カセット５１の下に、更にオプションカセット（不図示）を設け、２段以上のマルチカセットシステムを構成することも可能である。
【００２０】
上記分離パッド１７は、パッド台１８に支持され、該パッド台１８は、記録紙カセット５１の記録紙排出側端部に用紙幅全域に亘り形成された用紙ガイド部材１９の略中央部に圧縮ばね（不図示）により上向きに弾力が付与された状態で設置されている。この圧縮ばねによる上向きに働く作用により、分離パッド１７は供給ローラ１６の周面に接する状態とされる。用紙ガイド部材１９の背後には下段カセットからの記録紙が通過し得る間隔を隔てて、ジャムアクセスカバー（メンテナンス用開閉カバー）１４が取付けられており、このジャムアクセスカバー１４は、画像形成装置１における箱型筐体（装置本体）１１の右側壁部に、ヒンジピン１４１を支点として開閉可能に取付けられている。ジャムアクセスカバー１４の内面上方部分は記録紙カセット５１側に湾曲して、後記する湾曲搬送路１３の一部を形成する。
【００２１】
ジャムアクセスカバー１４の内側には、上記装置本体１１内に設置された搬送ローラ１５と対合するプレスローラ１５１が取付けられており、ジャムアクセスカバー１４を、ヒンジピン１４１を支点として開ければ、搬送ローラ１５とプレスローラ１５１とのニップ状態が解除され、この付近にジャムした記録紙の取出しが可能とされる。湾曲搬送路１３は、記録紙カセット５１から繰出された記録紙を、略１８０度方向転換して、Ｕターン状に搬送し画像記録部４に向かわせるものである。この湾曲搬送路１３における画像記録部４の上流側近傍には、レジストローラ対１２が設けられ、記録紙がレジストされ、画像記録部４に導入される。搬送ローラ１５、湾曲搬送路１３及びレジストローラ対１２により、記録紙カセット５１から繰出された記録紙９を画像記録部４に搬送させる為の記録紙の搬送手段が構成される。
【００２２】
次に図２、図３を参照しながら、本実施形態に係る定着器ユニット６の構成について説明する。図３において２点鎖線は記録紙９の搬送路を示している。
定着器ユニット６は、上述のドラムユニット４１０（図１参照）の下流側に設けられており、ハウジング６４内には、ヒートローラ６１及びプレスローラ６２、排出ローラ対７が収容されている。
ハウジング６４は、下方が開口となった箱体からなり、上方中央部の一部はハウジング内が視認できるよう透明部材６５で構成されている。この透明部材６５の構成については後に詳述する。
ハウジング６４の長手方向両端には、鋼板からなる固定部６４１が設けられている。固定部６４１にはビス孔６４２が形成されており、ビス（不図示）をビス孔６４２に挿入して、装置本体１１の所定の位置に固定することにより、ハウジング６４が装置本体１１に取付けられる。ハウジング６４の記録紙９の搬送方向上流側（図３の紙面右側）には、搬送路に沿って搬送される記録紙９を受入れる上流側開口部６４３が形成されている。また、記録紙９の搬送方向下流側（図３の紙面左側）には、トナー画像が定着された記録紙９を排出トレイ８（図１参照）に向けて排出する下流側開口部６４４が形成されている。
【００２３】
ヒートローラ６１とプレスローラ６２とは、そのニップ部６７が記録紙９の搬送路に沿うように配置される。
ヒートローラ６１は、中空に成型されたアルミニウム円筒からなり、そのアルミニウム円筒の内部には、加熱源としてのハロゲンランプ６０が収容されている。ヒートローラ６１の記録紙９通過領域の外周面はフッ素系樹脂のコーティング層（不図示）が形成されている。
プレスローラ６２は、シリコーン、ウレタン等のゴム体或いはスポンジ体からなり、鉄鋼材等の金属材料で形成されたプレスローラ軸６８に接着剤等を介して固着されている。プレスローラ軸６８は、その両端が軸受体６４４により自在に回転するよう支持され、コイルバネからなるローラ支持部６４３によって、プレスローラ６２は、ヒートローラ６１に向けて接して設けられ、ニップ部６７が形成されている。
ヒートローラ６１の端部は、ベアリング（不図示）等で自在に回転するよう構成されており、ギア（不図示）が取付けられ、駆動モータにより駆動が制御されている。そしてヒートローラ６１の回転により、プレスローラ６２が追従して回転するようになされている。
【００２４】
下流側開口部６４４には、互いに押し当てられた状態で回転する排出ローラ７０とプレスローラ７１とを備えた排出ローラ対が設けられる。排出ローラ７０とプレスローラ７１とは、そのニップ部７３がヒートローラ６１及びプレスローラ６２から排出された記録紙９の搬送路に沿うように配置される。排出ローラ７０は、鉄鋼材などの金属材料で形成された排出ローラ軸７２の上に所定の間隔を空けて３個設けられている。排出ローラ軸７２の端部は、ベアリング（不図示）等で回転が自在に構成されており、ギア（不図示）が取付けられ、上述のヒートローラ６１の端部に設けられたギアと連動して駆動する。プレスローラ７１は、排出ローラ７０の回転に追従して回転するよう構成されており、排出ローラ７０に接するように同様の間隔を空けて３個設けられている。
以上により、定着器ユニット６では、トナー画像が転写された記録紙９をヒートローラ６１及びプレスローラ６２とによって加熱・加圧し、トナー画像を永久画像として定着を行う。そして、その後、排出ローラ対７より記録された記録紙９を排出トレイ８に排出する。
【００２５】
次に定着器ユニット６及び温度センサ６３の構成について図２〜図４を参照しながら、更に詳述する。尚、図２中、点線で示しているのは温度センサ６３であり、ブラケット６６は省略している。また図４では説明のため、温度センサ６３をハウジング６４に固定するためのビス７５、ブラケット６６は図示していない。
ハウジング６４には、ヒートローラ６１の表面温度を検出する温度センサ６３が組付けられており、温度センサ６３の組付け状態がハウジング６４外から視認できるように、ハウジング６４の一部が透明部材６５で構成されている。透明部材６５はガラス或いは耐熱性樹脂材などからなり、ビス７４でハウジング６４に固定されている。
温度センサ６３は、感熱部６３１、ホルダ６３２、電線６３３、コネクタ６３４を備え、感熱部６３１の集熱板にはサーミスタ素子６３１０が貼り付けられている。感熱部６３１は、所定の接触圧でヒートローラ６１の外表面６９に接触するようＳＵＳなどのスプリング板で構成されている。また感熱部６３１は、ヒートローラ６１への傷付き或いは磨耗を防ぐため、ポリイミドなどの耐熱性、耐摩耗性を備えた樹脂テープで覆われている。温度センサ６３のコネクタ６３４は、定着器ユニット６外まで導かれ、電源と接続されたコネクタ６３５に接続することにより、温度センサ６３の電源供給及び検知信号の送出を可能としている。ホルダ６３２にはビス孔６３２１が形成されている。
【００２６】
温度センサ６３は、サーミスタ素子６３１０が貼り付けられた検知面が、ヒートローラ６１の外表面６９に接触するように配置され、板金のブラケット６６を介してビス７５でハウジング６４の内壁６４５に固定するよう取付けられる。
よって、組付け後にハウジング６４外から透明部材６５を通して視認したところ、図７に示すように非検知面がヒートローラ６１の外表面６９に接触するように組付けられていることがわかった場合は、正規の組付け状態になるよう修正すればよい。
ここでビス７４を取外して透明部材６５を取外せば、温度センサ６３自体を取外すまでもなく、感熱部６３１の検知面がヒートローラ６１の外表面６９に接触するよう正規の組付け状態に修正することができる。
【００２７】
以上によれば、ハウジング６４内に温度センサ６３を組付けた後に温度センサ６３の組付け状態を透明部材６５を通してハウジング６４外から容易に確認することができる。よって、製造時の温度検知検査で組付けミスが明らかにならないような場合でも、透明部材６５を通して視認するだけで、組付けミスを判別できる。このように温度センサ６３の組付けミスが装置本体１１に定着器ユニット６を取付ける前にわかるので、温度センサ６３の組付けミスに起因するエラー或いはヒートローラ６１の温度制御が不能になるといったことがなく、信頼性の高い画像形成装置１を構成することができる。
また図２に示すように、透明部材６５をハウジング６４の上方中央部に大きく形成すれば、温度センサ６３の組付け状態だけでなく、ヒートローラ６１及びプレスローラ６２の組付け状態も視認できる。よって定着器ユニット６の組付け後に温度センサ６３の組付け状態がハウジング６４外から容易に確認できるだけでなく、記録紙９の紙詰まり状況或いはトナーの堆積状況などを確認することもできる。
【００２８】
ここで、定着器ユニット６、ハウジング６４、温度センサ６３の構成、形状は図例のものに限定されるものではない。またヒートローラ６１の加熱源はハロゲンランプ６０に限定されるものではなく、例えば面状ヒータなどであってもよい。排出ローラ対の数も３個に限定されるものではない。
【００２９】
透明部材６５の構成は、図例のものに限定されものではない。
図５はハウジング６４の変形例を示した図であり、図２と同様図である。図５中、点線で示しているのは温度センサ６３であり、ここでもブラケット６６の図示は省略している。
上述の例と共通する部分には共通の符号を付し、その説明は割愛する。
ハウジング６４の上方且つ温度センサ６３の組付け状態が視認できる位置に長方形状の窓部７６を形成し、該窓部７６に透明部材６５を装着した点で上述の例とは異なる。窓部７６の側部に段差部を形成し、そこに透明部材６５を置き、接着剤で固定してもよいし、透明部材６５に摘み部を設け、上下に開閉可能な構造としてもよい。温度センサ６３０は、図中点線で示すように上述の例と同様に組付けられている。
これによっても、透明部材６５を通して温度センサ６３の組付け状態をハウジング６４外から視認することができ、簡易な構造でありながら透明部材６５を備えたハウジング６４とすることができる。
このように、ハウジング６４に構成される透明部材６５は図例のものに限定されず、要は、ハウジング６４外から温度センサ６３の組付け状態が視認できる構成であればよい。
【００３０】
以上では１成分現像方式の画像形成装置１について説明したが、これに限定されず２成分現像方式のものにも適用することができる。また図１に示す画像形成装置１、定着器ユニット６、ドラムユニット４１０及び現像器ユニット４４０の構成は図例のものに限定されず、他の構成のものであってもよいことは言うまでもない。
【図面の簡単な説明】
【００３１】
【図１】本発明の画像形成装置が採用された複合機の一例を示す概略的縦断面図である。
【図２】同画像形成装置に備えた定着器及び排出ローラ対を備えた定着器ユニットの概略的斜視図である。
【図３】図２における同定着器ユニットのＸ−Ｘ線矢視断面図である。
【図４】同定着器ユニットに組付けられた温度センサの模式的平面図である。
【図５】同定着器ユニットの変形例を示した図であり、図２と同様図である。
【図６】従来の定着器の上述の問題点を模式的に示した断面図であり、サーミスタが正規に組付けられた図である。
【図７】従来の定着器の上述の問題点を模式的に示した断面図であり、サーミスタが非正規に組付けられた図である。
【符号の説明】
【００３２】
１      画像形成装置
６      定着器ユニット（定着器）
６１      ヒートローラ
６２      プレスローラ
６３      温度センサ
６４      ハウジング
６５      透明部材
７６      窓部
９      記録紙（記録媒体）
【図１】
0004798165.tif 000002
【図２】
0004798165.tif 000003
【図３】
0004798165.tif 000004
【図４】
0004798165.tif 000005
【図５】
0004798165.tif 000006
【図６】
0004798165.tif 000007
【図７】
0004798165.tif 000008